(57)【要約】      （修正有）【課題】体裁が良く損傷し難く、永続的に反射効果を有するランドセルの持ち手を提供する。【解決手段】手持ち３は、ランドセル本体１の背板２の上端部の両側部に両端が取付られて、全体がアーチ状に形成されると共に、その上部がランドセル本体１から上方に突出され、断面Ｕ字状に折返した可撓性革材からなる細長い持ち手本体３ａと、その持ち手本体３ａのＵ字の開口縁に挟持されて縫着され、同様に折返されて、その折返し部がその全長に渡り露出された反射テープ３ｂと、を具備する。反射テープ３ｂがランドセル本体１の正面側に露出される。【選択図】図２
0003163257.tif 000002
【実用新案登録請求の範囲】
【請求項１】
ランドセル本体(1)の背板(2)の上端部の両側部に両端が取付られて、全体がアーチ状に形成されると共に、その上部がランドセル本体(1)から上方に突出された持ち手(3)を有し、
その持ち手(3)が、断面Ｕ字状に折返した可撓性革材からなる細長い持ち手本体(3a)と、その持ち手本体(3a)のＵ字の開口縁に挟持されて縫着され、同様に折返されて、その折返し部がその全長に渡り露出された反射テープ(3b)と、を具備し、
その持ち手(3)の前記反射テープ(3b)がランドセル本体(1)の正面側に露出されたことを特徴とするランドセルの持ち手。
【請求項２】
請求項１に記載のランドセルの持ち手において、
前記持ち手本体(3a)の折返し面(13)の側が、ランドセル本体(1)の底側に向くようにして、その両端部が平面状態で、前記背板(2)に止着具(4)を介して止着され、その両端から前記アーチ状の頂部に沿って次第に捩じられ、その頂部で、その断面の向きが両端部に対して略90度異なるように、配置されたランドセルの持ち手。
【請求項３】
請求項１または請求項２に記載のランドセルの持ち手において、
前記反射テープ(3b)の外周に透明テープ(3c)が被覆されたランドセルの持ち手。
【考案の詳細な説明】
【技術分野】
【０００１】
本考案は、学童のランドセル用の持ち手に関するものであって、自動車のライトに反射して運転者に注意を喚起する反射テープを取付けたものに関する。
【背景技術】
【０００２】
従来、ランドセルの各部に反射材を取付ける提案がされている。特に、ランドセルの蓋板表面や背負いベルト等に取付けた提案がなされている。
【先行技術文献】
【特許文献】
【０００３】
【特許文献１】特開２００２−３２５６１７号公報
【特許文献２】特開平８−２２０９９５号公報
【特許文献３】特開平７−２６５１１４号公報
【考案の概要】
【考案が解決しようとする課題】
【０００４】
従来の反射材の取付け位置は、比較的汚れが付着し易い蓋板や背負いベルトに取付けられているため、次第に反射効果を無くすおそれがある。
それと共に、ランドセル全体の体裁を悪くする欠点があった。
そこで本考案は、体裁が良く且つ、汚れ難く、製造の容易な反射材の取付位置を提案することを課題とする。
【課題を解決するための手段】
【０００５】
請求項１に記載の本考案は、ランドセル本体(1)の背板(2)の上端部の両側部に両端が取付られて、全体がアーチ状に形成されると共に、その上部がランドセル本体(1)から上方に突出された持ち手(3)を有し、
その持ち手(3)が、断面Ｕ字状に折返した可撓性革材からなる細長い持ち手本体(3a)と、その持ち手本体(3a)のＵ字の開口縁に挟持されて縫着され、同様に折返されて、その折返し部がその全長に渡り露出された反射テープ(3b)と、を具備し、
その持ち手(3)の前記反射テープ(3b)がランドセル本体(1)の正面側に露出されたことを特徴とするランドセルの持ち手である。
【０００６】
請求項２に記載の本考案は、請求項１に記載のランドセルの持ち手において、
前記持ち手本体(3a)の折返し面(13)の側が、ランドセル本体(1)の底側に向くようにして、その両端部が平面状態で、前記背板(2)に止着具(4)を介して止着され、その両端部から前記アーチ状の頂部に沿って次第に捩じられ、その頂部で、その断面の向きが両端部に対して略90度異なるように、配置されたランドセルの持ち手である。
請求項３に記載の本考案は、請求項１または請求項２に記載のランドセルの持ち手において、
前記反射テープ(3b)の外周に透明テープ(3c)が被覆されたランドセルの持ち手である。
【考案の効果】
【０００７】
本考案のランドセルの持ち手は、その持ち手３の反射テープ3bがランドセル本体１の正面側に露出するようにされたから、ランドセルを背負う児童の後側から接近する車のライトに反射し、そのドライバーに学童の存在と、注意を喚起することができる。そしてその反射テープ3bは持ち手本体3aの開口部に挟持して縫着され、その全長に渡り反射テープ3bの折返し面14が露出するように縫着されたため、体裁が良く且つその持ち手３は製造し易く、安価にそれを提供できる。
また、その反射テープ3bの折返し面14はランドセル本体１の正面側に存在するため、折返し面14自体が手に殆ど触れることが無く、その損傷を防止して反射効果を永続的に持続し得る効果がある。
【０００８】
上記構成に加えて、請求項２に記載のように、持ち手本体3aの折返し面13の側がランドセル本体１の底側に向くようにして、その両端部が平面状態で背板２に止着具４を介して止着され、その両端からアーチ状の頂部に沿って次第に捩じられ、その断面の向きがその頂部で、両端部に対して略９０度異なるように配置した場合には、持ち手３の取付けが容易であると共に、反射テープ3bを効果的にランドセル本体１の正面側に露出させ、その反射効果を確実に発揮し得る。
上記構成において、請求項３に記載のように、反射テープ3bの外周に透明テープ3cを被覆した場合には、反射テープ3bを汚れや、損傷から保護し、その反射効果を永続的に維持し得る。
【図面の簡単な説明】
【０００９】
【図１】本考案の持ち手３を有するランドセルの正面図。
【図２】同要部背面図。
【図３】同持ち手３の斜視図。
【考案を実施するための形態】
【００１０】
次に、図面に基づいて本考案の実施の形態につき説明する。
本考案のランドセルの持ち手３は、図３に示す如く形成されている。即ち、その持ち手３は断面Ｕ字状に折返した可撓性の革材（合成皮革や適宜な樹脂シート材その他を含む）からなる細長い持ち手本体3aの折り返し部側にクッション材12が保持されている。このクッション材12としては、弾発力性のあるものであればその材質を選ばない。スポンジ、布材、その他を用いることができる。そして、持ち手本体3aの折り返した開口側に反射テープ3bが縫糸10によって縫着される。
【００１１】
反射テープ3bは、持ち手本体3aと同様に断面Ｕ字状に折り返されると共に、その外周に図示しない損傷防止用の透明テープが被覆されている。反射テープ3bは公知のもので、一例として、合成樹脂材に金属やガラス粒子を混練したシート状のもので、裏面に補強用の布地を積層したものや、蛍光塗料を付着したもの、その他市販のものを使用することができる。この反射テープ3bの露出幅は、持ち手３の幅に比べて小さなものである。
このようにしてなる持ち手３は、その両端部にハトメ11が設けられ、その内部が貫通する。このような持ち手３は、図２に示す如く、その持ち手３の折返し面13側がランドセル本体１の底面側に向くようにして、その両端部のハトメに止着具４が貫通し、そのかしめによって背板２に固定される。
【００１２】
このとき持ち手３の両端部の平面は、それが背板２に平行に配置され、その全体はアーチ状に形成される。そして、その少なくとも上部が図１の如く、ランドセル本体１の蓋板５の上面より上方に露出される。このとき持ち手３の反射テープ3bは、ランドセル本体１の正面側に向く。即ち、持ち手３の両端部が９０°捩じられて止着されるとともに、持ち手３の剛性により、それが両端部から頂部に渡り捩じられ、その頂部ではその断面が背板２に略直交するように配置されるからである。それによって、反射テープ3bはランドセル本体１の正面側に露出し、ランドセルを背負う児童の背後から来た自動車のライトにより、反射テープ3bが照らされ、そのドライバーに注意を喚起する。
【００１３】
この持ち手３は、通常、背負いベルト６側から手を入れて保持されるため、反射テープ3b自体に触れることが少ない。仮に触れても、その反射テープ3bの表面には透明の被覆シートが存在するため、その損傷および汚れを防止し、長期間に渡って反射テープ3bの反射効果を維持できる。
また、本考案の反射テープ3bは、その持ち手３のデザインと一体となって、洗練された体裁の良いものとなり、高学年の児童にも受け入れ易いものである。さらには製造し易く、製造コストの増加を必要最小限に抑えることができる。それによって、安全なランドセルを安価に提供できる。
【符号の説明】
【００１４】
１  ランドセル本体
２  背板
３  持ち手
3a  持ち手本体
3b  反射テープ
3c  透明テープ
４  止着具
５  蓋板
６  背負いベルト
【００１５】
７  金具
８  アーム
９  吊り環
10  縫糸
11  ハトメ
12  クッション材
13  折返し面
14  折返し面
【図１】
0003163257.tif 000003
【図２】
0003163257.tif 000004
【図３】
0003163257.tif 000005